(57)【要約】  用途に応じて、多様な設計が可能なコルゲートハニカム構造物、コルゲートハニカム積層物、及びこれらの製造方法を提供する。本発明のコルゲートハニカム構造物は、第１片面段ボール（１０Ａ）と第２片面段ボール（１０Ｂ）からなるコルゲートハニカム構造物（１）であって、第１片面段ボール（１０Ａ）、第２片面段ボール（１０Ｂ）の各々は、シート状のライナー部材（１１）と、稜線（１２ａ）と谷線（１２ｂ）が一方向に繰り返すコルゲート部材（１２）とを有し、コルゲート部材（１２）の谷線（１２ｂ）がライナー部材（１１）に接着されており、第１片面段ボール（１０Ａ）、第２片面段ボール（１０Ｂ）の各々のコルゲート部材（１２）の稜線（１２ａ）が互いに接着されている。
2020145234.tif 000002
【特許請求の範囲】
【請求項１】
一対の片面段ボールからなるコルゲートハニカム構造物であって、
前記片面段ボールの各々は、シート状のライナー部材と、稜線と谷線が一方向に繰り返すコルゲート部材とを有し、前記コルゲート部材の谷線が前記ライナー部材に接着されており、
前記一対の片面段ボールの各々のコルゲート部材の稜線が互いに接着されているコルゲートハニカム構造物。
【請求項２】
請求項１に記載のコルゲートハニカム構造物の２以上が、互いのライナー部材が接着されて積層されているコルゲートハニカム積層物。
【請求項３】
シート状のライナー部材と、稜線と谷線が一方向に繰り返すコルゲート部材とを有し、前記コルゲート部材の谷線が前記ライナー部材に接着されている片面段ボールの１以上が、請求項１に記載のコルゲートハニカム構造物の１以上と、互いに接着されて積層されているコルゲートハニカム積層物。
【請求項４】
稜線と谷線が繰り返す方向が、総てのコルゲート部材において同じ方向である、請求項２または３のコルゲートハニカム積層物。
【請求項５】
請求項１に記載のコルゲートハニカム構造物を含む箱。
【請求項６】
請求項１に記載のコルゲートハニカム構造物を含む緩衝材。
【請求項７】
請求項２〜４のいずれか一項に記載のコルゲートハニカム積層物を含む緩衝材。
【請求項８】
請求項２〜４のいずれか一項に記載のコルゲートハニカム積層物を含むフィルタ。
【請求項９】
シート状のライナー部材と、稜線と谷線が一方向に繰り返すコルゲート部材とを有し、前記コルゲート部材の谷線が前記ライナー部材に接着されている片面段ボールを、前記ライナー部材の側から、前記稜線と谷線が繰り返す方向に沿った折り曲げ線に沿ってハーフカットし、
その後、前記片面段ボールを、前記コルゲート部材を内側として前記折り曲げ線に沿って折り曲げることにより、前記折り曲げ線の両側における前記コルゲート部材の稜線同士を接着する、コルゲートハニカム構造物の製造方法。
【請求項１０】
前記コルゲート部材の稜線に接着剤を塗布し、
その後、前記片面段ボールを、前記コルゲート部材を内側として前記折り曲げ線に沿って折り曲げることにより、前記折り曲げ線の両側における前記コルゲート部材の稜線同士を接着する、請求項９に記載のコルゲートハニカム構造物の製造方法。
【請求項１１】
請求項９または１０に記載のコルゲートハニカム構造物の製造方法で製造したコルゲートハニカム構造物の２以上を、互いのライナー部材を接着して積層する、コルゲートハニカム積層物の製造方法。
【請求項１２】
シート状のライナー部材と、稜線と谷線が一方向に繰り返すコルゲート部材とを有し、前記コルゲート部材の谷線が前記ライナー部材に接着されている片面段ボールの１以上と、請求項９または１０に記載のコルゲートハニカム構造物の製造方法で製造したコルゲートハニカム構造物の１以上を、互いに接着して積層する、コルゲートハニカム積層物の製造方法。
【請求項１３】
稜線と谷線が繰り返す方向が、総てのコルゲート部材において同じ方向となるように積層する、請求項１１または１２に記載のコルゲートハニカム積層物の製造方法。
【発明の詳細な説明】
【技術分野】
【０００１】
本発明はコルゲートハニカム構造物、コルゲートハニカム積層物、及びこれらの製造方法に関する。
本願は、２０１９年１月９日に、日本に出願された特願２０１９−００１６７０号に基づき優先権を主張し、その内容をここに援用する。
【背景技術】
【０００２】
紙等をコルゲート処理して波形としたコルゲート部材は、シート状のライナー部材と組み合わせられて、段ボールとなり、物品輸送用の段ボール箱として広く使用されている。例えば、一枚のコルゲート部材と一枚のライナーを組み合わせた片面段ボール、一枚のコルゲート部材（中芯ともいう）の両面にライナーを組み合わせた両面ダンボール、片面側からライナー、コルゲート部材、ライナー、コルゲート部材、ライナーの順に組み合わされている複両面段ボールなどが知られている。
また、コルゲート部材とライナー部材とを交互に多数重ねたコルゲートハニカム構造物は、コルゲート部材のクッション性を利用して、緩衝材としても使用されている（特許文献１）。また、コルゲート部材とライナー部材とで囲まれた空間を流路とするエアフィルタや熱交換器などとしても使用されている（特許文献２、３）。
【先行技術文献】
【特許文献】
【０００３】
【特許文献１】特開２００５−１８６９８８号公報
【特許文献２】特開平１１−２６７４３１号公報
【特許文献３】特開平４−１０６３９６号公報
【発明の概要】
【発明が解決しようとする課題】
【０００４】
コルゲートハニカム構造物を特許文献１のように緩衝材として使用する場合は、用途に応じて所望のクッション性等が得られるよう、具体的な構造を設計する必要がある。
また、特許文献２、３のようにエアフィルタ等として使用する場合は、コルゲート部材とライナー部材とで囲まれた空間で形成する流路を、圧力損失とフィルタ作用を両立できるよう、最適化した設計とする必要がある。【０００５】
コルゲートハニカム構造物は、波形のピッチや高さが異なる複数種類のコルゲート部材を組み合わせることによって多様な構造とすることが可能である。しかし、基本的には、コルゲート部材は、両側のライナー部材と接着して重ねるしかなく、設計の自由度が低かった。
上記事情に鑑みて、本発明は、用途に応じて、多様な設計が可能なコルゲートハニカム構造物、コルゲートハニカム積層物、及びこれらの製造方法を提供することを課題とする。
【課題を解決するための手段】
【０００６】
上記の課題を達成するために、本発明は以下の構成を採用した。
［１］一対の片面段ボールからなるコルゲートハニカム構造物であって、
前記片面段ボールの各々は、シート状のライナー部材と、稜線と谷線が一方向に繰り返すコルゲート部材とを有し、前記コルゲート部材の谷線が前記ライナー部材に接着されており、
前記一対の片面段ボールの各々のコルゲート部材の稜線が互いに接着されているコルゲートハニカム構造物。
［２］［１］に記載のコルゲートハニカム構造物の２以上が、互いのライナー部材が接着されて積層されているコルゲートハニカム積層物。
［３］シート状のライナー部材と、稜線と谷線が一方向に繰り返すコルゲート部材とを有し、前記コルゲート部材の谷線が前記ライナー部材に接着されている片面段ボールの１以上が、［１］に記載のコルゲートハニカム構造物の１以上と、互いに接着されて積層されているコルゲートハニカム積層物。
［４］稜線と谷線が繰り返す方向が、総てのコルゲート部材において同じ方向である、［２］または［３］のコルゲートハニカム積層物。
［５］［１］に記載のコルゲートハニカム構造物を含む箱。
［６］［１］に記載のコルゲートハニカム構造物を含む緩衝材。
［７］［２］〜［４］のいずれか一項に記載のコルゲートハニカム積層物を含む緩衝材。
［８］［２］〜［４］のいずれか一項に記載のコルゲートハニカム積層物を含むフィルタ。
［９］シート状のライナー部材と、稜線と谷線が一方向に繰り返すコルゲート部材とを有し、前記コルゲート部材の谷線が前記ライナー部材に接着されている片面段ボールを、前記ライナー部材の側から、前記稜線と谷線が繰り返す方向に沿った折り曲げ線に沿ってハーフカットし、
その後、前記片面段ボールを、前記コルゲート部材を内側として前記折り曲げ線に沿って折り曲げることにより、前記折り曲げ線の両側における前記コルゲート部材の稜線同士を接着する、コルゲートハニカム構造物の製造方法。
［１０］前記コルゲート部材の稜線に接着剤を塗布し、
その後、前記片面段ボールを、前記コルゲート部材を内側として前記折り曲げ線に沿って折り曲げることにより、前記折り曲げ線の両側における前記コルゲート部材の稜線同士を接着する、［９］に記載のコルゲートハニカム構造物の製造方法。
［１１］［９］または［１０］に記載のコルゲートハニカム構造物の製造方法で製造したコルゲートハニカム構造物の２以上を、互いのライナー部材を接着して積層する、コルゲートハニカム積層物の製造方法。
［１２］シート状のライナー部材と、稜線と谷線が一方向に繰り返すコルゲート部材とを有し、前記コルゲート部材の谷線が前記ライナー部材に接着されている片面段ボールの１以上と、［９］または［１０］に記載のコルゲートハニカム構造物の製造方法で製造したコルゲートハニカム構造物の１以上を、互いに接着して積層する、コルゲートハニカム積層物の製造方法。
［１３］稜線と谷線が繰り返す方向が、総てのコルゲート部材において同じ方向となるように積層する、［１１］または［１２］に記載のコルゲートハニカム積層物の製造方法。
【発明の効果】
【０００７】
本発明のコルゲートハニカム構造物、コルゲートハニカム積層物、及びこれらの製造方法によれば、用途に応じて、多様な設計が可能である。
【図面の簡単な説明】
【０００８】
【図１】本発明の一実施形態に係るコルゲートハニカム構造物の、コルゲート部材の稜線と谷線が繰り返す方向における部分断面図である。
【図２】図１のコルゲートハニカム構造物の製造に用いる片面段ボールの斜視図である。
【図３】図２の片面段ボールを折り曲げる途中段階を示す図である。
【図４】図２の片面段ボールを最後まで折り曲げた状態を示す図である。
【図５】本発明の第１の態様に係るコルゲートハニカム積層物の、コルゲート部材の稜線と谷線が繰り返す方向における部分断面図である。
【図６】本発明の第２の態様に係るコルゲートハニカム積層物の、コルゲート部材の稜線と谷線が繰り返す方向における部分断面図である。
【図７】本発明の一実施形態に係るコルゲートハニカム積層物の部分斜視図である。
【発明を実施するための形態】
【０００９】
［コルゲートハニカム構造物］
図１は、本発明の一実施形態に係るコルゲートハニカム構造物１を示す部分断面図である。コルゲートハニカム構造物１は、一対の片面段ボールである第１片面段ボール１０Ａと第２片面段ボール１０Ｂとで構成されている。
【００１０】
第１片面段ボール１０Ａは、シート状のライナー部材１１と、稜線１２ａと谷線１２ｂとが波状に一方向に繰り返すコルゲート部材１２とを有する。コルゲート部材１２の谷線１２ｂは、ライナー部材１１に接着されている。
同様に、第２片面段ボール１０Ｂは、シート状のライナー部材１１と、稜線１２ａと谷線１２ｂとが波状に一方向に繰り返すコルゲート部材１２とを有する。コルゲート部材１２の谷線１２ｂは、ライナー部材１１に接着されている。
【００１１】
第１片面段ボール１０Ａのコルゲート部材１２と第２片面段ボール１０Ｂのコルゲート部材１２とは、ピッチも高さも等しい同じコルゲート部材である。
また、第１片面段ボール１０Ａのコルゲート部材１２と第２片面段ボール１０Ｂのコルゲート部材１２とは、各々の稜線１２ａ同士が直接接着されている。
【００１２】
コルゲートハニカム構造物１は、一対のコルゲート部材１２の稜線１２ａ同士が、ライナー部材１１を介することなく直接接着されているため、積層方向（コルゲート部材１２における波状のコルゲート構造の高さ方向）のクッション性が高い。そのため、コルゲートハニカム構造物１は、箱、緩衝材、クッション材、バネ等として利用することができる。
具体的には、コルゲートハニカム構造物１を段ボール用シートと同様にして用い、箱を形成することに利用できる。また、コルゲートハニカム構造物１を箱などに収納した収納物との隙間に介在させることで緩衝材として利用することができる。また、物品と接触するようにコルゲートハニカム構造物１を配置することで外部からの圧力が伝わるのを防ぐクッション材として利用することができる。また、物品を箱内部の壁に押し付けるようにコルゲートハニカム構造物１を配置することでバネとして利用することができる。
もちろん、コルゲートハニカム構造物１の利用方法は、これらに限られるものではない。また、コルゲートハニカム構造物１は、これを含む積層体とすることで、積層体の機能を高めることもできる。
【００１３】
コルゲートハニカム構造物１は、例えば以下のようにして製造することができる。
まず図２に示すように、矩形の片面段ボール１０を用意する。片面段ボール１０は、シート状のライナー部材１１と、稜線１２ａと谷線１２ｂとが波状に一方向に繰り返すコルゲート部材１２とを有する。コルゲート部材１２の谷線１２ｂがライナー部材１１に接着されている。
【００１４】
次に、この図２に示す片面段ボール１０を、ライナー部材１１の側から折り曲げ線Ｌに沿ってハーフカットする。折り曲げ線Ｌは、稜線１２ａと谷線１２ｂとが繰り返す方向に沿った線である。折り曲げ線Ｌは、稜線１２ａが延在する方向の中央に形成することが好ましい。
ハーフカットの深さは、少なくともライナー部材１１が切断され、かつ、コルゲート部材１２の稜線１２ａ部分が切断されない深さとする。コルゲート部材１２の稜線１２ａ近傍のみが切断されずに残る深さであることが好ましい。
【００１５】
また、コルゲート部材１２の稜線１２ａに接着剤を塗布する。稜線１２ａへの接着剤の塗布は、折り曲げ線Ｌに沿ったハーフカットと同時に行ってもよいし、ハーフカットより前に行ってもよいが、製造工程が簡略化できる点から、ハーフカットの後に行うことが好ましい。
稜線１２ａへの接着剤の塗布は、ロール塗工、ブラシ塗工、スプレー塗工、カーテン塗工、ダイ塗工等の公知の塗工方法により適宜行うことができる。
【００１６】
次に、図３に示すように、接着剤を塗布したコルゲート部材１２の稜線１２ａを内側として、折り曲げ線Ｌで片面段ボール１０を折り曲げる。この時、折り曲げ線Ｌで区分された片面段ボール１０の一方側が第１片面段ボール１０Ａとなり、他方側が第２片面段ボール１０Ｂとなる。
そして、最後まで折り曲げると、第１片面段ボール１０Ａと第２片面段ボール１０Ｂの各々のコルゲート部材１２の稜線１２ａ同士が接着されて、図４に示すように、第１片面段ボール１０Ａと第２片面段ボール１０Ｂとからなるコルゲートハニカム構造物１が得られる。
【００１７】
上記製造方法によれば、稜線１２ａ部分を切断しない状態で稜線１２ａと垂直な方向（稜線１２ａと谷線１２ｂが繰り返す方向）の折り曲げ線Ｌに沿って折り曲げる。そのため、第１片面段ボール１０Ａと第２片面段ボール１０Ｂの各々のコルゲート部材１２の稜線１２ａを、ずらすことなく重ねて接着することができる。
【００１８】
なお、この製造方法は、連続した片面段ボールを用いた場合でも適用できる。例えば、コルゲータ内に、ハーフカットする機構と接着剤を塗布する機構と折り曲げる機構を配置するとよい。
また、予めヒートシール接着剤を塗布したコルゲート部材や、樹脂をラミネートしたコルゲート部材を用い、ライナー部材と重ね加熱することで接着してもよい。
【００１９】
［コルゲートハニカム積層物の第１の態様］
図５は、本発明の第１の態様に係るコルゲートハニカム積層物２を示す部分断面図である。コルゲートハニカム積層物２は、コルゲートハニカム構造物１の２以上が互いのライナー部材１１が接着された状態で積層している積層体である。
図５では、コルゲートハニカム構造物１であるコルゲートハニカム構造物１Ａの上に、コルゲートハニカム構造物１であるコルゲートハニカム構造物１Ｂが積層され、さらに、その上に、別のコルゲートハニカム構造物１が積層されている部分を示している。
また、２以上のコルゲートハニカム構造物１におけるコルゲート部材１２の稜線１２ａと谷線１２ｂとが繰り返す方向は、何れも同じ方向（図示の左右方向）としている。
【００２０】
コルゲートハニカム構造物１Ａとコルゲートハニカム構造物１Ｂとは、コルゲートハニカム構造物１Ａを構成する第２片面段ボール１０Ｂのライナー部材１１と、コルゲートハニカム構造物１Ｂを構成する第１片面段ボール１０Ａのライナー部材１１とが接着されている。
また、コルゲートハニカム構造物１Ｂと、その上の別のコルゲートハニカム構造物１とは、コルゲートハニカム構造物１Ｂを構成する第２片面段ボール１０Ｂのライナー部材１１と、別のコルゲートハニカム構造物１を構成する第１片面段ボール１０Ａのライナー部材１１とが接着されている。
【００２１】
コルゲートハニカム積層物２は、２以上のコルゲートハニカム構造物１が積層されているため、面方向（コルゲート部材１２における波状のコルゲート構造の高さ方向）のクッション性が高い。そのため、コルゲートハニカム積層物２を箱、緩衝材、クッション材、バネ等として利用する場合の設計の自由度が高まる。
また、一種類のコルゲート部材で、複数の異なる面積の流路を形成できると共に、コルゲートハニカム構造物１の積層数により、流路の数を調整できる。そのため、コルゲートハニカム積層物２をフィルタ等の流路として利用する場合の設計の自由度が高まる。
コルゲートハニカム積層物２は、隣り合うコルゲートハニカム構造物１の少なくとも一方のライナー部材１１に接着剤を塗布し、その後積層することにより製造できる。
【００２２】
第１の態様に係るコルゲートハニカム積層物において、２以上のコルゲートハニカム構造物１におけるコルゲート部材１２の稜線１２ａと谷線１２ｂとが繰り返す方向は、同じ方向でなくてもよい。例えば、コルゲートハニカム構造物１Ａにおけるコルゲート部材１２の稜線１２ａと谷線１２ｂとが繰り返す方向と、コルゲートハニカム構造物１Ｂにおけるコルゲート部材１２の稜線１２ａと谷線１２ｂとが繰り返す方向とを交差させてもよい。コルゲートハニカム構造物１Ａとコルゲートハニカム構造物１Ｂとを交互に積層したものは、高いクッション性を備えながら、面方向（コルゲート部材１２における波状のコルゲート構造の高さ方向）の形状を保ちやすいクッション材、緩衝材、バネなどとすることができる。
【００２３】
第１の態様に係るコルゲートハニカム積層物全体におけるコルゲートハニカム構造物１は２層だけでもよい。また、３層以上とする場合の積層数にも特に限定はない。
また、稜線１２ａと谷線１２ｂの繰り返し方向における稜線１２ａの位置と谷線１２ｂの位置は、コルゲートハニカム構造物１ごとに異なっていてもよい。
また、第１の態様に係るコルゲートハニカム積層物におけるコルゲートハニカム構造物１は、１種類に限られず、コルゲート部材のピッチと高さの一方または両方が異なる複数種類のコルゲートハニカム構造物１を適宜の順番で積層してもよい。
【００２４】
［コルゲートハニカム積層物の第２の態様］
図６は、本発明の第２の態様に係るコルゲートハニカム積層物３を示す部分断面図である。コルゲートハニカム積層物３は、２以上のコルゲートハニカム構造物１と複数の小片面段ボール２０が互いに接着された状態で積層している積層体である。
小片面段ボール２０は、シート状の小ライナー部材２１と、稜線２２ａと谷線２２ｂとが波状に一方向に繰り返す小コルゲート部材２２とを有する。小コルゲート部材２２の谷線２２ｂは、小ライナー部材２１に接着されている。
小コルゲート部材２２は、ピッチと高さがコルゲート部材１２より小さい。
【００２５】
図６では、コルゲートハニカム構造物１であるコルゲートハニカム構造物１Ａの上に、小片面段ボール２０である小片面段ボール２０Ａと小片面段ボール２０Ｂが順次積層されている。そして、さらにその上に、コルゲートハニカム構造物１であるコルゲートハニカム構造物１Ｂと、小片面段ボール２０である小片面段ボール２０Ｃと小片面段ボール２０Ｄが順次積層されている。
また、２以上のコルゲートハニカム構造物１におけるコルゲート部材１２の稜線１２ａと谷線１２ｂとが繰り返す方向、及び２以上の小片面段ボール２０における小コルゲート部材２２の稜線２２ａと谷線２２ｂとが繰り返す方向は、何れも同じ方向（図示の左右方向）としている。
【００２６】
コルゲートハニカム構造物１Ａと小片面段ボール２０Ａとは、コルゲートハニカム構造物１Ａを構成する第２片面段ボール１０Ｂのライナー部材１１と、小片面段ボール２０Ａの小ライナー部材２１とが接着されている。
また、小片面段ボール２０Ａと小片面段ボール２０Ｂとは、小片面段ボール２０Ａの小コルゲート部材２２の稜線２２ａと、小片面段ボール２０Ｂの小ライナー部材２１とが接着されている。
また、小片面段ボール２０Ｂとコルゲートハニカム構造物１Ｂとは、小片面段ボール２０Ｂの小コルゲート部材２２の稜線２２ａと、コルゲートハニカム構造物１Ｂを構成する第１片面段ボール１０Ａのライナー部材１１とが接着されている。
【００２７】
同様に、コルゲートハニカム構造物１Ｂと小片面段ボール２０Ｃとは、コルゲートハニカム構造物１Ｂを構成する第２片面段ボール１０Ｂのライナー部材１１と、小片面段ボール２０Ｃの小ライナー部材２１とが接着されている。
また、小片面段ボール２０Ｃと小片面段ボール２０Ｄとは、小片面段ボール２０Ｃの小コルゲート部材２２の稜線２２ａと、小片面段ボール２０Ｄの小ライナー部材２１とが接着されている。
【００２８】
コルゲートハニカム積層物３は、１以上のコルゲートハニカム構造物１と１以上の小片面段ボール２０が積層されているため、積層方向のクッション性が高い。また、コルゲートハニカム構造物１と小片面段ボール２０の積層比率等を調整することにより、種々の弾性を実現することができる。
そのため、コルゲートハニカム積層物２を緩衝材、クッション剤、バネ等として利用する場合の設計の自由度が高まる。
【００２９】
また、二種類のコルゲート部材で、一対のコルゲート部材１２で囲まれた空間Ｐと、コルゲート部材とライナー部材とで囲まれた空間Ｑに加えて、空間Ｑよりさらに狭い空間Ｒが小コルゲート部材２２の両側に形成される。
そのため、コルゲートハニカム積層物３をフィルタ等の流路として利用する場合、３種類の異なる面積の流路を形成できると共に、コルゲートハニカム構造物１と小片面段ボール２０の各々の積層数により、流路の数や、流路の大きさの分布を調整できる。
したがって、フィルタ等の流路として利用する場合の設計の自由度が高まる。
コルゲートハニカム積層物３は、隣り合うコルゲートハニカム構造物１または小片面段ボール２０の少なくとも一方に接着剤を塗布し、その後積層することにより製造できる。
【００３０】
なお、図６では、総ての小片面段ボール２０が、小ライナー部材２１が下側、小コルゲート部材２２が上側となる向きで積層する態様としたが、第２の態様に係るコルゲートハニカム積層物において、積層する小片面段ボール２０の上下の向きは、これに限られない。
例えば、総ての小片面段ボール２０を、小ライナー部材２１が上側、小コルゲート部材２２が下側となる向きで積層する態様としてもよい。
また、小片面段ボール２０の一部を小ライナー部材２１が下側、小コルゲート部材２２が上側となる向きとし、他を反対向きとして積層する態様としてもよい。
例えば、図６のコルゲートハニカム積層物３において、小片面段ボール２０Ｂと小片面段ボール２０Ｄはそのままの向きで積層し、小片面段ボール２０Ａと小片面段ボール２０Ｃを上下反転させて積層してもよい。
【００３１】
第２の態様に係るコルゲートハニカム積層物全体におけるコルゲートハニカム構造物１は１層だけでもよい。また、２層以上とする場合の積層数にも特に限定はない。また、２層以上のコルゲートハニカム構造物１を繰り返して積層する部分があってもよく、その場合の繰り返し数にも特に限定はない。
２層以上のコルゲートハニカム構造物１を繰り返して積層する部分がある場合、稜線１２ａと谷線１２ｂの繰り返し方向における稜線１２ａの位置と谷線１２ｂの位置は、コルゲートハニカム構造物１ごとに異なっていてもよい。
【００３２】
同様に、第２の態様に係るコルゲートハニカム積層物全体における小片面段ボール２０は１層だけでもよい。また、２層以上とする場合の積層数にも特に限定はない。また、２層以上の小片面段ボール２０を繰り返して積層する部分がある場合の繰り返し数にも特に限定はない。
２層以上の小片面段ボール２０を繰り返して積層する部分がある場合、稜線２２ａと谷線２２ｂの繰り返し方向における稜線２２ａの位置と谷線２２ｂの位置は、小片面段ボール２０ごとに異なっていてもよい。
コルゲートハニカム構造物１と小片面段ボール２０の積層数、および積層の順番は、用途に応じて適宜決定すればよい。
【００３３】
また、１以上のコルゲートハニカム構造物１におけるコルゲート部材１２の稜線１２ａと谷線１２ｂとが繰り返す方向と小片面段ボール２０における小コルゲート部材２２の稜線２２ａと谷線２２ｂとが繰り返す方向は、同じ方向でなくてもよい。例えば、稜線と谷線とが繰り返す方向が交差するように積層すれば、高いクッション性を備えながら、面方向（コルゲート部材１２、小コルゲート部材２２における波状のコルゲート構造の高さ方向）の形状を保ちやすい緩衝材とすることができる。
【００３４】
また、第２の態様に係るコルゲートハニカム積層物におけるコルゲートハニカム構造物１は、１種類に限られず、コルゲート部材のピッチと高さの一方または両方が異なる複数種類のコルゲートハニカム構造物１を適宜の順番で積層してもよい。
また、コルゲートハニカム構造物１と積層する片面段ボールは、１種類に限られず、コルゲート部材のピッチと高さの一方または両方が異なる複数種類の片面段ボールとコルゲートハニカム構造物１とを適宜の順番で積層してもよい。
【００３５】
また、コルゲートハニカム構造物１と積層する片面段ボールは、コルゲート部材のピッチと高さがコルゲートハニカム構造物１を構成するコルゲート部材１２のピッチと高さよりも小さいものには限られない。例えば、ピッチ及び高さの一方または両方がコルゲート部材１２のピッチ及び高さよりも大きい片面段ボールを使用してもよい。また、コルゲートハニカム構造物１と積層する片面段ボールとして、コルゲートハニカム構造物１を構成する第１片面段ボール１０Ａまたは第２片面段ボール１０Ｂと同じ物を使用してもよい。
【００３６】
［コルゲートハニカム積層体の用途］
第１の態様のコルゲートハニカム積層物、第２の態様のコルゲートハニカム積層物で説明した、変形例も含む種々のコルゲートハニカム積層物は、例えば箱、緩衝材、クッション材、バネ、フィルタ、熱交換器素子等として使用することができる。勿論これらの用途に限定されるものではない。
【００３７】
コルゲートハニカム積層物を箱として使用する場合、コルゲートハニカム積層物を段ボール用シートと同様に用い、罫線処理、打ち抜き処理、印刷処理などを施し、箱を組み立てることができる。なお、箱を容器と蓋と別々にした場合、コルゲートハニカム積層物を容器のみに、蓋のみに、両方に用いても良い。
コルゲート部材としては、特に限定するものではないが、段ボール用紙用として使用される中芯原紙の使用が好ましい。ライナー部材としては、特に限定するものではないが、段ボール用紙用として使用されるライナー原紙の使用が好ましい。ライナー部材とコルゲート部材の厚さは、必要とされる弾性特性や使用環境に応じて適宜選択される。積層物の積層数についても、用途に応じて適宜選択されるが、箱に加工する適性から積層物の厚みが２ｃｍ以下であることが好ましい。
【００３８】
コルゲートハニカム積層物を緩衝材、クッション材、バネとして使用する場合、コルゲートハニカム積層物を所望の大きさ、形状に切り出し使用するとよい。例えば、図７の斜視図で示される形状に切り出すことができる。コルゲートハニカム積層物を箱などに収納した収納物との隙間に介在させることで緩衝材として利用することができる。例えば、物品と接触するようにコルゲートハニカム積層物を配置することで物品に圧力等が伝わることを防ぐクッション材として利用することができる。例えば、物品を箱内部の壁に押し付けるようにコルゲートハニカム積層物を配置することでバネとして利用することができる。
【００３９】
コルゲート部材としては、シート状物であれば特に限定するものではないが、紙類を用いると、古紙として再利用することができるので好ましく、特に段ボール用紙用として使用される中芯原紙の使用が強度に優れるため好ましい。ライナー部材としては、シート状物であれば特に限定するものではないが、紙類を用いると、古紙として再利用することができるので好ましく、特に段ボール用紙用として使用されるライナー原紙の使用が強度にすぐれるため好ましい。ライナー部材とコルゲート部材の厚さは、必要とされる弾性特性や使用環境に応じて適宜選択される。積層物の積層数についても、用途に応じて適宜選択される。
【００４０】
コルゲートハニカム積層物を熱交換器として使用する場合、コルゲートハニカム積層物を所望の大きさに切り出し使用するとよい。ただし、コルゲートハニカム積層物中のコルゲート部材の稜線と谷線とが繰り返す方向は、隣接する流路の方向が交差するようにし、１つ置きに同じ方向の流路が形成されるようにする。熱交換器として使用する場合のライナー部材とコルゲート部材の材質や厚さは、熱交換の効率や難燃性等を考慮して、適宜選択される。コルゲートハニカム積層物は、大きさの異なる空間の流路を有するため、熱交換器として用いた場合、目詰まりが生じにくい。ライナー部材とコルゲート部材は、公知の熱交換器で使用されるシート状材料が使用でき、アルミニウムなどの金属、ポリ塩化ビニール、ポリエチレン、ポリプロピレン等のプラスチック、紙を適宜選択し得る。
【００４１】
コルゲートハニカム積層物をフィルタとして使用する場合、コルゲートハニカム積層物を所望の大きさに切り出し使用するとよい。例えば、図７の斜視図で示される形状に切り出すことができる。フィルタ４は、図６のコルゲートハニカム積層物３と同様のコルゲートハニカム積層物で構成されている。
すなわち、コルゲートハニカム構造物１に２つの小片面段ボール２０が積層されたものが、繰り返し積層する構成とされている。
【００４２】
図７のフィルタ４は、図６のコルゲートハニカム積層物３を、積層面に垂直であって、かつ、コルゲート部材１２及び小コルゲート部材２２の稜線と谷線が繰り返す方向に沿う２つの切断面（図６の紙面に平行な方向）により切断することによって製造できる。
フィルタ４の厚さは、２つの切断面の離間距離によって調整することができる。
【００４３】
本発明のフィルタは、図６のコルゲートハニカム積層物３に限られず、第１の態様のコルゲートハニカム積層物、第２の態様のコルゲートハニカム積層物で説明した、変形例も含む種々のコルゲートハニカム積層物で構成することができる。ただし、コルゲートハニカム積層物中のコルゲート部材の稜線と谷線とが繰り返す方向は総て同じとする。コルゲートハニカム積層物は、大きさの異なる空間の流路を有するため、フィルタとして用いた場合、目詰まりが生じがたくなる。
【００４４】
また、本発明のフィルタは、厚み方向両側、すなわち、流路の入口と出口の一方または両方に、通気性シートを配置してもよい。通気性シートを配置することにより、フィルタを通る気体から、塵などを除去することができる。
通気性シートは、不織布やメッシュクロス等の通気性材料で構成することができる。不織布やメッシュクロス等を構成する材料としては、レーヨン、ポリエステル、ナイロン等が挙げられる。
【００４５】
本発明のフィルタを構成するライナー部材とコルゲート部材の材質に特に限定はないが、基材と、基材に保持された吸着剤で構成されることが好ましい。
基材としては、吸着剤を保持しやすい点から繊維基材が好ましい。繊維基材としては、セルロース繊維を主成分とする紙基材、合成繊維を主成分とするプラスチック基材が挙げられる。中でも、セルロース繊維を主成分とする紙基材が好ましい。
なお、「主成分とする」とは、基材全体に対する割合が５０質量％以上であることを意味する。
【００４６】
コルゲートハニカム構造物、第１の態様のコルゲートハニカム積層物、第２の態様のコルゲートハニカム積層物で説明した、変形例も含む種々のコルゲートハニカム積層物は、上記の用途のほかにも、表面積が大きいことを利用した拡散用シート、空気層を多く含むことを利用した断熱性シート、クッション性を利用した簡易マットレスや簡易ベッドなど、様々な用途に利用可能である。
【符号の説明】
【００４７】
１  コルゲートハニカム構造物
２  コルゲートハニカム積層物
３  コルゲートハニカム積層物
４  フィルタ（コルゲートハニカム積層物の用途）
１０  片面段ボール
１１  ライナー部材
１２  コルゲート部材
１２ａ  稜線
１２ｂ  谷線
２０  小片面段ボール
２１  小ライナー部材
２２  小コルゲート部材
２２ａ  稜線
２２ｂ  谷線
Ｌ  折り曲げ線
【図１】
2020145234.tif 000003
【図２】
2020145234.tif 000004
【図３】
2020145234.tif 000005
【図４】
2020145234.tif 000006
【図５】
2020145234.tif 000007
【図６】
2020145234.tif 000008
【図７】
2020145234.tif 000009
【国際調査報告】
2020145234.tif 000010
2020145234.tif 000011
2020145234.tif 000012
2020145234.tif 000013
2020145234.tif 000014
2020145234.tif 000015